(57)【要約】【課題】多数のモノフィラメントを束ねた状態の糸条から低い糸張力で解舒した後で、高い糸張力で分繊し、さらに十分低い糸張力でそれぞれのモノフィラメントを巻き取ることができる分繊機を提供することを目的としている。【解決手段】単錘駆動式の解舒装置１０と、それぞれのモノフィラメントに分繊する分繊部２０と、それぞれが単錘駆動式の巻取装置備える巻取部３０と、解舒装置による解舒速度と前記巻取装置の巻取速度を制御する制御装置５０とを備えた分繊機であって、前記一本の糸条の糸張力を検出する第一テンションセンサＳＡと、分離されたモノフィラメントのそれぞれの糸張力を検出する第二テンションセンサＳＢとを配設して、それぞれのテンションセンサからの張力信号により前記解舒装置の解舒速度と前記巻取装置の巻取速度とを制御する構成とした。【選択図】  図１
2005001879.tif 000002
【特許請求の範囲】
【請求項１】
多数のモノフィラメントを束ねて一本の糸条とし、該糸条が巻回されたパッケージから前記糸条を積極的に送り出す単錘駆動式の解舒装置と、送り出される糸条を鉛直方向上方に向けて走行し、そこから水平方向に走行させながらそれぞれのモノフィラメントに分繊する分繊部と、それぞれが単錘駆動式の巻取装置を備える巻取部と、解舒装置による解舒速度と前記巻取装置の巻取速度を制御する制御装置とを備えた分繊機であって、解舒装置における解舒時の糸張力と巻取装置における巻取張力とを低い糸張力とし、分繊部においてはそれよりも高い糸張力で分繊する構成としたことを特徴とする分繊機。
【請求項２】
前記解舒装置が前記糸条の糸張力を検出する第一テンションセンサを備えており、前記巻取装置が分離されたモノフィラメントのそれぞれの糸張力を検出する第二テンションセンサを備えており、それぞれのテンションセンサからの張力信号により前記解舒装置の解舒速度と前記巻取装置の巻取速度とを制御する構成としたことを特徴とする請求項１に記載の分繊機。
【請求項３】
前記分繊部に、前記糸条の分繊度合いを検知する分繊度合い検知手段を配設し、検知された分繊度合いにより該分繊部における糸張力を制御する構成としたことを特徴とする請求項１または２に記載の分繊機。
【請求項４】
前記解舒装置と前記巻取装置とが通路を挟んだ両側に配設されていると共に、通路の上側を糸経路としていることを特徴とする請求項１から３のいずれかに記載の分繊機。
【請求項５】
前記第一テンションセンサの糸張力検出値により解舒速度を制御すると共に、複数の巻取装置の巻取速度を同時に変更すると共に、前記第二テンションセンサの糸張力検出値によりそれぞれ単独の巻取装置の巻取速度を制御する構成としていることを特徴とする請求項１から４のいずれかに記載の分繊機。
【請求項６】
前記解舒装置が前記給糸パッケージを水平状態に載置する２本のローラを備えており、前記２本のローラの一方が前記給糸パッケージを回転させる駆動ローラであり、他方のローラが従動ローラであると共に、少なくとも一方のローラの長さが前記パッケージの長さよりも短いことを特徴とする請求項１から５のいずれかに記載の分繊機。
【発明の詳細な説明】
【０００１】
【発明の属する技術分野】
本発明は、多数のモノフィラメントを束ねた状態の糸条から、一本一本のモノフィラメントに分離して巻き取る分繊機に関するものである。
【０００２】
【従来の技術】
従来、マルチフィラメント糸パッケージから単糸フィラメントまたは、前記マルチフィラメント糸より単糸数の少ないマルチフィラメント糸に分繊する分繊糸の製造方法が公開されている。（例えば、特許文献１参照）
【０００３】
また、前記特許文献１に記載の製造方法では、積極駆動式の解舒装置を使用して解舒張力を小さくしたことが記載されている。
【０００４】
ただし、分繊したのちリングおよびトラベラを用いた巻取装置にて巻取ると記載されていて、それぞれの巻取装置を別々に制御することについては記載されていない。
【０００５】
【特許文献１】
特開平６−１１６８０７号公報（第１−５頁、第１図）
【０００６】
【発明が解決しようとする課題】
巻取張力が高い状態でボビンに巻き取ろうとすると、ボビンを圧縮する力が増大する。そのために、モノフィラメントのように太い糸を巻き取る際には、ボビン材厚を厚くしたり、金属材質のボビンとして巻き取る必要があった。
【０００７】
また、多数のモノフィラメントを束ねた状態の糸条から、一本一本のモノフィラメントに分離する際には、糸張力を高くしないとうまく分繊することができない。そのために、従来の分繊畿においては、糸張力が高い状態で分繊した後で、そのままの高い糸張力のままボビンに巻き取っていた。勿論糸張力暫減装置等により、多少は糸張力を減少して巻き取る工夫はされてはいるが、頑丈な巻取ボビンが必要であることには変わりはなく、薄い紙管製のボビンに巻き取ることができる程に、糸張力を減少することはできない。
【０００８】
最近では、駆動モータや制御装置等の電子部品が高能率に、小型に、また低価格に開発されていて、いろいろな分野にて採用可能となっている。また、糸張力を検出するテンションセンサも高性能なものが安価に開発されている。
【０００９】
また、糸種もいろいろなものが要求されており、特に種々の太さのモノフィラメントが室内装飾用や産業資材等のいろいろな分野で望まれている。
【００１０】
そのために本発明は、多数のモノフィラメントを束ねた状態の糸条から低い糸張力で解舒した後で、高い糸張力で分繊し、さらに十分低い糸張力でそれぞれのモノフィラメントを巻き取ることができる分繊機を提供することを目的としている。
【００１１】
【課題を解決するための手段】
上記課題を解決するために、請求項１に記載の発明においては、多数のモノフィラメントを束ねて一本の糸条とし、該糸条が巻回されたパッケージから前記糸条を積極的に送り出す単錘駆動式の解舒装置と、送り出される糸条を鉛直方向上方に向けて走行し、そこから水平方向に走行させながらそれぞれのモノフィラメントに分繊する分繊部と、それぞれが単錘駆動式の巻取装置を備える巻取部と、解舒装置による解舒速度と前記巻取装置の巻取速度を制御する制御装置とを備えた分繊機であって、解舒装置における解舒時の糸張力と巻取装置における巻取張力とを低い糸張力とし、分繊部においてはそれよりも高い糸張力で分繊する構成としたことを特徴としている。
【００１２】
そのために、単錘駆動式の解舒装置により確実に糸条を送り出すと共に、高い糸張力で確実に分繊することができ、さらに、任意の糸張力で巻き取る巻取速度に制御することができる。
【００１３】
請求項２に記載の発明においては、前記解舒装置が前記糸条の糸張力を検出する第一テンションセンサを備えており、前記巻取装置が分離されたモノフィラメントのそれぞれの糸張力を検出する第二テンションセンサを備えており、それぞれのテンションセンサからの張力信号により前記解舒装置の解舒速度と前記巻取装置の巻取速度とを制御する構成としたことを特徴としている。
【００１４】
そのために、多数のモノフィラメントを束ねた構成の糸条が巻回されたパッケージから前記糸条を解舒する際に、それぞれの巻取装置の糸張力を検出しながら、適当な糸張力を維持するように、解舒速度と巻取速度を制御することができる。
【００１５】
請求項３に記載の発明においては、前記分繊部に、前記糸条の分繊度合いを検知する分繊度合い検知手段を配設し、検知された分繊度合いにより該分繊部における糸張力を制御する構成としたことを特徴としている。
【００１６】
そのために、分繊部において、糸条が分繊するのに最適な糸張力を維持することができ、確実に分繊することができる。
【００１７】
請求項４に記載の発明においては、前記解舒装置と前記巻取装置とが通路を挟んだ両側に配設されていると共に、通路の上側を糸経路としていることを特徴としている。
【００１８】
そのために、解舒装置と巻取装置との糸掛け作業とパッケージの装着・取り外し作業を前記通路から容易に行うことができる。
【００１９】
請求項５に記載の発明においては、前記第一テンションセンサの糸張力検出値により解舒速度を制御すると共に、複数の巻取装置の巻取速度を同時に変更すると共に、前記第二テンションセンサの糸張力検出値によりそれぞれ単独の巻取装置の巻取速度を制御する構成としていることを特徴としている。
【００２０】
そのために、解舒張力の変動にも速やかに対応して、解舒速度を制御することで、低い解舒張力を維持した状態で解舒することができる。
【００２１】
請求項６に記載の発明においては、前記解舒装置が前記給糸パッケージを水平状態に載置する２本のローラを備えており、前記２本のローラの一方が前記給糸パッケージを回転させる駆動ローラであり、他方のローラが従動ローラであると共に、少なくとも一方のローラの長さが前記パッケージの長さよりも短いことを特徴としている。
【００２２】
そのために、給糸パッケージを安定して保持すると共に、確実に回転駆動すると共に解舒中の糸条がパッケージ端面部に落ちないようにすることが可能な解舒装置を構成するので、前記給糸パッケージを回転しながら安定的に糸条を引き出すことができる。
【００２３】
【発明の実施の形態】以下、本発明の一実施例を図１から図４に基づいて詳細に説明する。図１は本発明に係る分繊機の全体構成を示す概略説明図である。図２は分繊部の平面図である。図３は本発明に係わる解舒装置の一例を示し、（ａ）は側面図であり、（ｂ）は正面図である。図４は本発明に係る巻取装置の一例を示す概略説明図である。
【００２４】
図１に示すように分繊機１は、多数のモノフィラメントを束ねて一本の糸条Ｙとし、該糸条Ｙが巻回されたパッケージＰから前記糸条Ｙを積極的に送り出す単錘駆動式の解舒装置１０と、送り出される糸条Ｙを鉛直方向上方に向けて走行し、そこから水平方向に走行しまがら分繊される分繊部２０と、それぞれが単錘駆動式の巻取装置を備える巻取部３０と、解舒装置１０による解舒速度と前記巻取装置の巻取速度を制御する制御装置５０とを備えている。
【００２５】
また、解舒装置１０により解舒される糸条Ｙに所定の糸張力を付加すると共に分繊ローラ１１により予備分繊を行う構成としている。前記分繊ローラ１１は、第一送りローラ１２と第二送りローラ１３との間に位置しており、周面の四方に弾性部材の突出部を備えた回転ローラであって、走行する糸条Ｙに、前記突出部が接触して張力牽引し、非接触状態で弛緩させることを繰り返して糸条Ｙを分繊し易い状態にする、所謂予備分繊するものである。
【００２６】
またこの時に、第二送りローラ１３の上部の糸条送り方向の下流側に、第一テンションセンサＳＡを配設して、検出される糸張力により、前記解舒装置１０の解舒速度を制御すると共に、第一送りローラ１２と第二送りローラ１３の回転速度を制御する構成とした。
【００２７】
前記第一送りローラ１２と第二送りローラ１３とはそれぞれ駆動ローラと従動ローラとから構成される一対の糸送りローラであって、その回転速度を同一にした構成である。しかし、分繊ローラ１１による予備分繊の効果を向上させるために、前記第一送りローラ１２の回転速度を第二送りローラ１３の回転速度に対して増減させるように制御する構成としてもよい。
【００２８】
この時に、解舒装置１０と第一送りローラ１２との間に別のテンションセンサＳＡ２を配設して、解舒装置１０と第一送りローラ１２との回転速度をそれぞれ個別に制御する構成としてもよい。
【００２９】
解舒装置１０から第一送りローラ１２と第二送りローラ１３を経て、上方に引き出された糸条Ｙは、分繊部２０により一本一本のモノフィラメントに分繊されて、巻取装置にてそれぞれのモノフィラメントボビンに巻き取られる。
【００３０】
通路４０の上部に配設される分繊部２０は送りローラ１４と分繊ローラ１５とを備えており、送りローラ１４から送り出される糸条Ｙを、外周に糸走行用溝が多数形成された分繊ガイド１７が分繊してニップローラ１５送り出す構成である。この時に、該分繊部２０の所定の位置に、接触センサガイド１６を配設して、分繊されるモノフィラメントの両端部に接触させる構成として、分繊部における糸条の分繊度合いを検知するものとした。つまり前記接触センサガイド１６が、分繊度合いを検出する手段となる。
【００３１】
前記接触センサガイド１６が常に分繊されるモノフィラメントの両端部に接触するように、前記送りローラ１４の回転速度を制御することで、糸条Ｙの良好な分繊を維持するものである。これは、分繊が不完全な場合にはモノフィラメント同士がうまく分離しなくなり、もとの一本の糸条Ｙに近い状態となるので、前記接触センサガイド１６と接触しなくなるためである。そのために、前記接触センサガイド１６が非接触を検知すると、前記送りローラ１４の回転速度を遅くして糸張力を増加して分繊し易くする構成とした。糸張力を増加するたと、絡み合ったモノフィラメント同士が容易に分繊するからである。つまり、該接触センサガイド１６を設置することで、良好な分繊を行うために最適な糸張力を維持することが可能となる。
【００３２】
勿論、前記送りローラ１４の回転速度を遅くすると、第一テンションセンサＳＡ部での糸張力が減少するが、該糸張力の減少を検知すると、解舒速度を減速制御して所定の糸解舒量に維持するように制御する。
【００３３】
ただし、分繊し易くするために糸張力を増加させ過ぎると糸切れを生じる場合があるので、糸種に応じた上限の糸張力を予め設定しておく。つまり、前記解舒装置１０の解舒速度の下限値を予め決めておいて、その値に達するまで、解舒速度を減速していくが、それ以上解舒速度が低下するとアラームを発して、機台を停止する制御としている。
【００３４】
そのために、糸切れの生じない分繊工程を実現することができ、満管率が略１００％となり、資材の有効利用を図ることができる。ここでいう満管率とは、完全な糸長さを有するモノフィラメント巻玉を何％製造するかであり、糸長さが短い巻玉は織機のタテ糸使い等には使用することができないために、その分商品価値が下がることになる。
【００３５】
図３により解舒装置について詳細に説明する。解舒装置１０は図３（ａ）に示すように、給糸パッケージＰを、駆動ローラ２と従動ローラ３上に載置した状態で、前記駆動ローラ２を図中の矢印方向に回転して、糸条Ｙを送り出すように構成されている。
【００３６】
引き出された糸条Ｙは、孔ガイド４を挿通して、糸貯留部５を介して分繊部２０へ走行している。前記糸貯留部５は、スラックチューブ６に配管７を介して図示していない真空源に接続して、糸条Ｙを吸引する部材であり、スラックチューブ６内の所定位置に配設されるセンサＳ１により該スラックチューブ内の糸条Ｙを検知可能な構成としている。この構成であれば、前記センサＳ１が糸条Ｙを検知しなくなったら、駆動モータ２Ａの回転速度を増加して解舒する糸条Ｙを速く送り出すようにすればよい。センサＳ１が糸条Ｙを検知したらそれ以上増速させる必要はなく、一定速度を保てばよい。この時に、スラックチューブ６内の奥の方にセンサＳ２を配設して、糸条Ｙの最大吸引量を制限する構成としてもよい。
【００３７】
駆動ローラ２は駆動モータ２Ａにより回転駆動されており、駆動モータ２Ａは前記制御装置５０によりその回転速度を変化させられる構成である。第一テンションセンサＳＡにより検出される糸張力により前記制御装置５０を介して駆動モータ２Ａを制御するが、糸張力が設定値より高くなると前記駆動モータ２Ａの回転速度を増加して、糸条Ｙの解舒速度を大きくする。また、糸張力が設定値より低くなると、前記駆動モータ２Ａの回転速度を減速して、糸条Ｙの解舒速度を小さくする。
【００３８】
また、図３（ｂ）に示すように、駆動ローラ２の長さＬ１を給糸パッケージＰの長さＬ２よりも短い長さとして、給糸パッケージＰの両端部に前記駆動ローラ２の接触しない部分を設ける構成としている。
【００３９】
これは、解除される糸条Ｙがパッケージ端面部に落ちることを防止するためであり、ローラと接触しながら回転すると、解除されているパッケージ端部の糸条がローラとの押圧により、パッケージ端面部に落ち易くなるからである。
【００４０】
この長さを短くするローラは、糸条Ｙの送出し方向の前側にあるローラの方であり、駆動ローラ２を前方とする場合には駆動ローラ２を、また、従動ローラ３を前方とする場合には従動ローラ３の長さを短くする構成とすればよい。
【００４１】
上記のように設定することで、糸張力が高くなったら直ちに解舒速度を上げて糸条Ｙを端面落ちすることなく速く送り出すことができるので、糸張力は下がる方向となる。つまり、糸張力の変動を小さくするように、糸条Ｙの解舒速度を制御するので、糸条Ｙが伸度の大きい弾性糸のような糸条でも、糸の伸びを大きく変化させずに、端面落ちすることなく安定して解舒し送り出すことができる。
【００４２】
図４により巻取部について説明する。巻取部３０は分繊されたそれぞれのモノフィラメントをそれぞれ巻き取る巻取装置として巻取装置３０ａ、３０ｂ、３０ｃ・・・を鉛直方向に複数列配設している。本実施例では、鉛直方向に５ユニットの巻取装置を２列合計１０ユニットの巻取装置を配設している。このユニット数はモノフィラメント数に対応した数量であり、増減可能な構成である。つまり、モノフィラメントが複数本同時に巻かれてマルチフィラメント状の糸条Ｙを解舒して、それぞれのモノフィラメントＹａ、Ｙｂ、Ｙｃ・・・に分繊して巻き取る装置である。
【００４３】
この時に、それぞれの巻取装置３０ａ、３０ｂ、３０ｃ・・・に巻き取られるモノフィラメントの糸張力を検出する第二テンションセンサＳＢを配設した。それぞれのモノフィラメントはそれぞれの糸張力を検出されながら、それぞれ最適な巻取速度にてモノフィラメントボビンＢａ、Ｂｂ、Ｂｃ・・・に巻き取られる構成となっている。
【００４４】
巻取装置３０ａ、３０ｂ、３０ｃ・・・はそれぞれに単錘駆動型のボビン巻取機であって、それぞれのボビンＢａ、Ｂｂ、Ｂｃ・・・を単独に制御して回転駆動可能な構成としている。
【００４５】
モノフィラメントＹａの糸張力が高くなると、巻取装置３０ａの巻取速度を低速とし、糸張力を下げるように制御する。これは、モノフィラメントＹａを巻き取る糸張力を０．１〜０．２ｇ／Ｄ（デニール）程度に制御して、柔らかく巻き取ることで、巻取ボビンを収縮させることなく、また、あとで解舒し易い巻取パッケージを製造するためである。その他の巻取装置３０ｂ、３０ｃも同様に個々に制御可能な構成としている。
【００４６】
上記第一テンションセンサＳＡと第二テンションセンサＳＢと解舒速度の制御と巻取速度の制御、及び、アラーム発生や機台停止等の制御は、いずれも制御装置５０にて、所定の情報を収集してそれぞれの駆動モータを制御する構成である。
【００４７】
上記したように、前記解舒装置１０と前記巻取部３０とが通路を挟んだ両側に配設されていると共に、通路の上側を分繊部２０の糸経路としているので、該分繊部２０の下部空間が、人が通れる程であり、作業者の通路４０あるいは作業用のスペースとなる。そのために、解舒装置１０へのパッケージＰの装着・取り外しや、糸掛け処理や、巻取部３０への糸掛け、巻取パッケージの取り外し等の作業がこの通路４０から行うことが可能である。
【００４８】
また、本発明に係る分繊機１は、単錘の解舒装置１０と複数の巻取装置を鉛直方向に配列した構成としているので、機台幅寸法を比較的小さくすることができる。そのために、該分繊機１を設置する際に、広い設置場所を必要とはせずに、狭いスペースに設置可能となる。
【００４９】
【発明の効果】
上記したように本発明によれば、多数のモノフィラメントを束ねた構成の糸条が巻回されたパッケージから前記糸条を解舒する際に、解舒張力と巻取張力のそれぞれを検出しながら、適当な糸張力を維持するように、解舒速度と巻取速度を制御することができるので、分繊工程を容易にまた確実に実施することができる。また、強度のある巻取ボビンではなく通常の紙管ボビンに巻取可能な巻取装置を備える分繊機とすることができる。
【図面の簡単な説明】
【図１】本発明に係る分繊機の全体構成を示す概略説明図である。
【図２】本発明に係わる分繊部の平面図である。
【図３】本発明に係わる解舒装置の一例を示し、（ａ）は側面図であり、（ｂ）は正面図である。
【図４】本発明に係る巻取機の一例を示す概略説明図である。
【符号の説明】
１      分繊機
１０      解舒装置
１６      接触センサガイド（分繊度合い検出手段）
２０      分繊部
３０      巻取部
３０ａ、３０ｂ・・巻取装置
４０      通路
５０      制御装置
Ｐ      パッケージ
Ｙ      糸条
Ｙａ、Ｙｂ、Ｙｃ・・  モノフィラメント
ＳＡ    第一テンションセンサ
ＳＢ    第二テンションセンサ
【図１】
2005001879.tif 000003
【図２】
2005001879.tif 000004
【図３】
2005001879.tif 000005
【図４】
2005001879.tif 000006